(57)【要約】【課題】フレキシビリティの向上を図ると共に、設置及びメンテナンス作業の簡略化を図る。【解決手段】本発明は、床スラブ１上にフリーアクセスフロア３を有する建築物内部の窓際スペースを緑化するための窓際緑化システムであって、フリーアクセスフロア３の窓際の床パネル２が開閉自在に設けられ、該窓際の床パネル２を開放して形成される緑化スペース５に植栽設備１０が着脱可能に設けられることを特徴とする。【選択図】図１
2013201921.tif 000002
【特許請求の範囲】
【請求項１】
床スラブ上にフリーアクセスフロアを有する建築物内部の窓際スペースを緑化するための窓際緑化システムであって、
前記フリーアクセスフロアの窓際の床パネルが開閉自在に設けられ、該窓際の床パネルを開放して形成される緑化スペースに植栽設備が着脱可能に設けられることを特徴とする窓際緑化システム。
【請求項２】
前記窓際の床パネルは窓側の端部を支点に回動可能に設けられていると共に、窓から入射する太陽光に対向するように任意の傾斜角度で固定可能に設けられていることを特徴とする請求項１に記載の窓際緑化システム。
【請求項３】
前記窓際の床パネルの表面側にはカバー部材が表裏反転自在に設けられ、該カバー部材の一方の面は太陽光を反射可能に設けられ、前記カバー部材の他方の面は太陽光を吸収可能に設けられていることを特徴とする請求項２に記載の窓際緑化システム。
【請求項４】
前記窓際の床パネルは室内側の端部を支点に室内側に反転可能に設けられていると共に、窓から入射する太陽光に対向するように任意の傾斜角度で固定可能に設けられていることを特徴とする請求項１に記載の窓際緑化システム。
【請求項５】
前記窓際の床パネルの裏面側にはカバー部材が表裏反転自在に設けられ、該カバー部材の一方の面は太陽光を反射可能に設けられ、前記カバー部材の他方の面は太陽光を吸収可能に設けられていることを特徴とする請求項４に記載の窓際緑化システム。
【請求項６】
前記植栽設備は、
前記窓際の１枚の床パネルに対応する緑化スペースを複数に分割するように前記床スラブ上に設けられる箱型プランターと、
該各箱型プランター内に着脱可能に設けられるメッシュ状のトレーと、
該各トレー内に設けられる人工軽量土壌と、
を備えていることを特徴とする請求項１〜５のいずれか１の請求項に記載の窓際緑化システム。
【請求項７】
前記複数のプランターのうちの少なくとも１つのプランターに給水する給水管と、該給水管を介して給水される前記プランターと該プランターに隣接する他のプランターとを接続する吸水性の給水部材と、を有する給水設備が設けられていることを特徴とする請求項６に記載の窓際緑化システム。
【請求項８】
前記窓際の床パネルの裏面は太陽光を反射可能に設けられていることを特徴とする請求項４に記載の窓際緑化システム。
【請求項９】
前記植栽設備は、
前記緑化スペースに懸架され、窓から入射する太陽光に対向するように傾斜する底面を有するＬ型プランターと、
該Ｌ型プランター内に着脱可能に設けられるメッシュ状のトレーと、
該トレー内に設けられる人工軽量土壌と、
を備えていることを特徴とする請求項１又は４又は８に記載の窓際緑化システム。
【請求項１０】
前記Ｌ型プランターの底面は太陽光を反射可能に設けられていることを特徴とする請求項９に記載の窓際緑化システム。
【請求項１１】
前記Ｌ型プランターは、前記窓際の床パネルの裏面に着脱可能に設けられていると共に、前記底面の裏面が太陽光を吸収可能に設けられていることを特徴とする請求項９又は１０に記載の窓際緑化システム。
【発明の詳細な説明】
【技術分野】
【０００１】
本発明は、建築物内部の窓際スペースを緑化するための窓際緑化システムに関し、特に、床スラブ上にフリーアクセスフロアが設けられた建築物に適用される窓際緑化システムに関するものである。
【背景技術】
【０００２】
一般に、事務所ビル等の建築物では、アメニティ空間を創出することによる癒し効果を目的として、室内緑化が行われており、室内のコーナー部や壁際に植木鉢やプランター等が置かれたりしている。
【０００３】
また、近年では、室内緑化を行うための各種緑化システムが提案されており、従来のこの種の緑化システムとしては、例えば、植栽ユニット内に配設される水耕栽培槽と、該水耕栽培槽内に配設される植物保持部材と、前記水耕栽培槽に水および養分を供給するための養分水槽と、前記植栽ユニットの上部に香りを供給するための香り発生装置とを備えたもの（特許文献１参照）や、或いは、室内の窓際や通路などの天井面近くの高い位置に、水耕栽培用の栽培槽と角度を変えることのできる誘引棚を設置し、培養液を循環させるシステムで自動運転することにより、室内の窓際や壁付近ならびに通路の天井面から垂れ下がるように下垂性のつる性植物を育成するようにしたもの（特許文献２参照）や、或いは、建物の外壁の外側に間隔をおいて配置された側壁と、その側壁に対向する窓との間に植栽緑化室を設け、窓を介して室内側から植栽植物を見ることができるようにしたもの（特許文献３参照）等が知られている。
【先行技術文献】
【特許文献】
【０００４】
【特許文献１】特開平７−１６０２９号公報
【特許文献２】特開２０１０−１９３７４５号公報
【特許文献３】特開２０１１−６９１６号公報
【発明の概要】
【発明が解決しようとする課題】
【０００５】
しかしながら、上記した従来の緑化システムでは、植栽植物を見ることと直射日光の遮断による建物の省エネルギー化といった画一的な利用方法に限定されるため、フレキシビリティに乏しいといった問題があった。
【０００６】
また、上記した従来の緑化システムはいずれも非常に大掛かりなシステムとなっているため、設置やメンテナンス作業に手間やコストが掛かり過ぎるといった問題や、省スペース化が図り難いといった問題などがあった。
【０００７】
本発明は、上記した課題を解決すべくなされたものであり、フレキシビリティに富み、設置及びメンテナンス作業を容易且つ安価に行うことができると共に、省スペース化を図ることのできる窓際緑化システムを提供することを目的とするものである。
【課題を解決するための手段】
【０００８】
上記した目的を達成するため、本発明は、床スラブ上にフリーアクセスフロアを有する建築物内部の窓際スペースを緑化するための窓際緑化システムであって、前記フリーアクセスフロアの窓際の床パネルが開閉自在に設けられ、該窓際の床パネルを開放して形成される緑化スペースに植栽設備が着脱可能に設けられることを特徴とする。
【０００９】
また、本発明に係る窓際緑化システムにおいて、前記窓際の床パネルは窓側の端部を支点に回動可能に設けられていると共に、窓から入射する太陽光に対向するように任意の傾斜角度で固定可能に設けられていてもよい。
【００１０】
また、本発明に係る窓際緑化システムにおいて、前記窓際の床パネルの表面側にはカバー部材が表裏反転自在に設けられ、該カバー部材の一方の面は太陽光を反射可能に設けられ、前記カバー部材の他方の面は太陽光を吸収可能に設けられていてもよい。
【００１１】
また、本発明に係る窓際緑化システムにおいて、前記窓際の床パネルは室内側の端部を支点に室内側に反転可能に設けられていると共に、窓から入射する太陽光に対向するように任意の傾斜角度で固定可能に設けられていてもよい。
【００１２】
また、本発明に係る窓際緑化システムにおいて、前記窓際の床パネルの裏面側にはカバー部材が表裏反転自在に設けられ、該カバー部材の一方の面は太陽光を反射可能に設けられ、前記カバー部材の他方の面は太陽光を吸収可能に設けられていてもよい。
【００１３】
また、本発明に係る窓際緑化システムにおいて、前記植栽設備は、前記窓際の１枚の床パネルに対応する緑化スペースを複数に分割するように前記床スラブ上に設けられる箱型プランターと、該各箱型プランター内に着脱可能に設けられるメッシュ状のトレーと、該各トレー内に設けられる人工軽量土壌と、を備えていてもよい。
【００１４】
また、本発明に係る窓際緑化システムにおいて、前記複数のプランターのうちの少なくとも１つのプランターに給水する給水管と、該給水管を介して給水される前記プランターと該プランターに隣接する他のプランターとを接続する吸水性の給水部材と、を有する給水設備が設けられていてもよい。
【００１５】
また、本発明に係る窓際緑化システムにおいて、前記窓際の床パネルの裏面は太陽光を反射可能に設けられていてもよい。
【００１６】
また、本発明に係る窓際緑化システムにおいて、前記植栽設備は、前記緑化スペースに懸架され、窓から入射する太陽光に対向するように傾斜する底面を有するＬ型プランターと、該Ｌ型プランター内に着脱可能に設けられるメッシュ状のトレーと、該トレー内に設けられる人工軽量土壌と、を備えていてもよい。
また、本発明に係る窓際緑化システムにおいて、前記Ｌ型プランターの底面は太陽光を反射可能に設けられていてもよい。
【００１７】
また、本発明に係る窓際緑化システムにおいて、前記Ｌ型プランターは、前記窓際の床パネルの裏面に着脱可能に設けられていると共に、前記底面の裏面が太陽光を吸収可能に設けられていてもよい。
【発明の効果】
【００１８】
本発明によれば、フレキシビリティを高め、設置及びメンテナンス作業を容易且つ安価に行うことができると共に、省スペース化を図ることができる等、種々の優れた効果を得ることができる。
【図面の簡単な説明】
【００１９】
【図１】本発明の第１の実施の形態に係る窓際緑化システムを示す断面図である。
【図２】本発明の第１の実施の形態に係る窓際緑化システムを示す平面図である。
【図３】本発明の第１の実施の形態に係る窓際緑化システムの変形例を示す断面図である。
【図４】本発明の第１の実施の形態に係る窓際緑化システムにおいて床パネルを閉鎖させてフラットにした状態を示す断面図である。
【図５】本発明の第２の実施の形態に係る窓際緑化システムを示す断面図である。
【図６】本発明の第２の実施の形態に係る窓際緑化システムの夏期における別の使用状態を示す平面図である。
【図７】本発明の第２の実施の形態に係る窓際緑化システムにおいて床パネルを閉鎖させてフラットにした状態を示す断面図である。
【図８】本発明の第２の実施の形態に係る窓際緑化システムの冬期における使用状態を示す平面図である。
【図９】本発明の第２の実施の形態に係る窓際緑化システムの冬期における別の使用状態を示す平面図である。
【図１０】本発明の第２の実施の形態に係る窓際緑化システムの冬期におけるさらに別の使用状態を示す平面図である。
【発明を実施するための形態】
【００２０】
以下、図面を参照しつつ、本発明の実施の形態に係る窓際緑化システムについて説明する。
【００２１】
先ず、図１及び図２を参照しつつ、本発明の第１の実施の形態に係る窓際緑化システムについて説明する。ここで、図１は本発明の第１の実施の形態に係る窓際緑化システムを示す断面図、図２は本発明の第１の実施の形態に係る窓際緑化システムを示す平面図である。
【００２２】
本実施の形態に係る窓際緑化システムは、床スラブ１上に多数の床パネル２が並置されてフリーアクセスフロア３が形成された建築物内部の窓際スペースを緑化するためのものである。
【００２３】
窓際の床パネル２は、例えば一辺が５００ｍｍの正方形状を成しており、窓側の端部に取り付けられたヒンジ４を支点に上下方向に回動可能に設けられており、これにより、窓際の床パネル２の下方の緑化スペース５の上方空間を開閉自在となっている。
【００２４】
床スラブ１と床パネル２との間には、ヒンジ４を中心とする円弧に沿って伸縮可能な傾斜姿勢保持部材６が設けられている。この傾斜姿勢保持部材６は、下端部６ａが床スラブ１上に固定される支持部材（図示省略）に枢支され、上端部６ｂが床パネル２の側面に着脱可能に取り付けられている。そして、所望な位置で傾斜姿勢保持部材６の長さを固定することにより、床パネル２が、窓７から入射する太陽光に対向するように任意の傾斜角度で固定されるようになっている。
【００２５】
床パネル２の表面側には、薄いカバー部材８が表裏反転自在に設けられている。カバー部材８の一方の面は、太陽光を反射可能なように、例えば鏡面仕上げ又は白色の金属薄板により形成され、カバー部材８の他方の面は、太陽光を吸収可能なように、例えば黒色のカーペットにより形成されている。
【００２６】
緑化スペース５の床スラブ１上には、植栽設備１０が設けられている。この植栽設備１０は、緑化スペース５の床スラブ１上に固定されるプランター１１と、プランター１１内に設けられるトレー１２と、プランター１１に給水するための給水設備１３と、を備えて構成されている。
【００２７】
プランター１１は、上方に開口を有する箱型を成しており、平面視で例えば縦の長さが２００ｍｍで横の長さが４００ｍｍの長方形状に形成されている。プランター１１には、内部の空間を左右均等に２分割するように仕切板１４が設けられており、この仕切板１４により平面視で一辺が２００ｍｍの正方形状の植栽領域１５ａ，１５ｂが左右対称に形成されている。１枚の床パネル２に対応する緑化スペース５ａには、２個のプランター１１が所定（例えば５０ｍｍ）の隙間を空けて並設されており、これにより、前記緑化スペース５ａには４分割された植栽領域１５ａ，１５ａ，１５ｂ，１５ｂが形成されている。
【００２８】
トレー１２は、メッシュ状の合成樹脂製で上方に開口を有する箱型を成しており、プランター１１の各植栽領域１５ａ，１５ａ，１５ｂ，１５ｂ毎に着脱可能に設けられている。各トレー１２の内部には人工軽量土壌（例えば、ハイドロボール等）１７が収容されており、人工軽量土壌１７に観葉植物等の植物２３が植栽される。
【００２９】
給水設備１３は、複数のプランター１１のうちの少なくとも１つのプランター１１（図２では下側のプランター）に給水する給水管１８と、給水管１８を介して給水される前記プランター１１とこのプランター１１に隣接する他のプランター１１（図２では上側のプランター）とを接続する給水部材１９と、を備えて構成されている。
【００３０】
給水管１８は、図示しない給水源からフリーアクセスフロア３内を通って配設され、プランター１１の左右の植栽領域１５ａ，１５ｂの上部で開放されている。給水部材１９は、スポンジや毛細管等の吸水性を有する材料により形成されており、プランター１１の左側の植栽領域１５ａ，１５ａ同士及び右側の植栽領域１５ｂ，１５ｂ同士をそれぞれ繋ぐように門型に配設されている。また、給水されるプランター１１には、水位センサ２０が設置されており、水位センサ２０がプランター１１内の水位を検出することにより、給水管１８の途中に接続されたモータバルブ（図示省略）を開閉し、プランター１１に給水するようになっている。
【００３１】
このような構成を備えた本実施の形態に係る窓際緑化システムにおいて、夏期等の太陽光の日射量が多い時期は、図１に示されているように、窓７から室内に入射する太陽光に対向するように窓際の床パネル２を傾斜させた状態で傾斜姿勢保持部材６の長さを固定すると共に、太陽光を反射する一方の面を表側にした状態でカバー部材８を床パネル２の表面に装着させる。
【００３２】
これにより、窓から室内に入射した太陽光を床パネル２のカバー部材８が屋外に反射し、室内に侵入する熱を低減させることができると共に、床パネル２の裏面側に植物２３が生育し易い直射日光を遮蔽した半日陰の領域を作り出すことができる。また、余分な日射を遮ることにより、ブラインド２１をある程度開けることができるため、室内から屋外への眺望を確保することができる。
【００３３】
また、トレー１２がプランター１１に着脱可能となっているため、トレー１２を人工軽量土壌１７と植物２３と共に一時的に鉢２２等に移動させて床パネル２をフラットな状態にして（図４参照）、室内空間を広く利用することもでき、フレキシビリティの向上を図ることができる。なお、この時、プランター１１自体も着脱可能とし、トレー１２はプランター１１内に水が溜まり過ぎた場合等にメンテナンスを容易にするために使用してもよい。これにより、植栽設備１０の不使用時に、鉢２２等を別途用意する必要がないため、利便性をさらに高めることができる。
【００３４】
さらに、冬期等の太陽光の日射量が少ない時期には、カバー部材８を、反転させて太陽光を吸収する他方の面を表側にした状態で床パネル２の表面に装着させることで、日中にカバー部材８に蓄熱した熱を夕方から夜間に掛けて放熱させ、ペリメータゾーンのコールドドラフトを抑制することができる。
【００３５】
なお、図３に示すように、窓際の床パネル２を室内側の端部を支点に室内側に反転可能なように構成してもよく、この場合には、床パネル２の裏面に装着したカバー部材８で反射させた日射を、植物２３の生長に有効利用することができる。
【００３６】
次に、図５を参照しつつ、本発明の第２の実施の形態に係る窓際緑化システムについて説明する。ここで、図５は本発明の第２の実施の形態に係る窓際緑化システムを示す断面図である。なお、以下の説明では、説明の簡略化のため、上記した本発明の第１の実施の形態に係る窓際緑化システムと同等の構成については、図中、図１〜図４と同一の符号を付し、その詳細な説明は省略する。
【００３７】
本実施の形態に係る窓際緑化システムにおいて、窓際の床パネル３１は、室内側の端部に取り付けられたヒンジ３２を支点に室内側に反転可能なように設けられ、フリーアクセスフロア３に支持される棒状の傾斜姿勢保持部材３３によって、窓７から入射する太陽光に対向するように任意の傾斜角度で固定されるようになっている。床パネル３１の裏面には、太陽光を反射可能なように、例えば鏡面仕上げ又は白色の金属薄板３４が貼着されている。
【００３８】
緑化スペース５には、植栽設備３５が設けられており、この植栽設備３５は、緑化スペース５に懸架されるプランター３６と、プランター３６内に設けられるトレー３７と、を備えて構成されている。
【００３９】
プランター３６は、上方に開口を有し、側断面視でＬ型を成し、窓側端部及び室内側端部がそれぞれ床パネル３１の支持部材３８等に着脱可能に掛止されている。プランター３６には、窓７から入射する太陽光に対向するように傾斜する底面３９が形成されており、この底面３９の内面には、太陽光を反射可能なように、例えば鏡面仕上げ又は白色の金属薄板４０が貼着されている。また、プランター３６の底面３９の裏面は、太陽光を吸収可能なように、例えば黒色の金属板により形成され、プランター３６は床パネル３１の裏面に着脱可能に設けられている。
【００４０】
トレー３７は、メッシュ状の合成樹脂製で上方に開口を有する箱型を成しており、プランター３６内に着脱可能に設けられている。各トレー３７の内部には人工軽量土壌１７が収容されており、人工軽量土壌１７に観葉植物等の植物２３が植栽される。なお、トレー３７は、プランター３６の形状に合わせて側断面視でＬ型をなしていてもよく、この場合には、人工軽量土壌の厚みを稼げる利点がある。
【００４１】
このような構成を備えた本実施の形態に係る窓際緑化システムにおいて、夏期等の太陽光の日射量が多い時期は、図５に示すように、窓７から室内に入射する太陽光に対向するように窓際の床パネル３１を反転させた状態で固定すると、床パネル３１の裏面の金属薄板３４が窓７から室内に入射した太陽光を反射し、室内に侵入する熱を低減させることができると共に、日射を直接、植物２３の生長に有効利用することができる。
【００４２】
また、トレー３７がプランター３６に着脱可能となっているため、図６に示すように、トレー３７を人工軽量土壌１７と植物２３と共に一時的に鉢等に移動させて、床パネル３１の金属薄板３４だけでなく、トレー３７の底面３９の金属薄板４０にも窓７から室内に入射した太陽光を反射させることにより、室内に侵入する熱を低減させ、室内の温度上昇を抑制することができる。
【００４３】
さらに、図７に示すように、トレー３７を人工軽量土壌１７と植物２３と共に一時的に鉢等に移動させて、床パネル３１をフラットな状態にして、室内空間を広く利用することもでき、フレキシビリティを高めることができる。なお、この時、プランター３６自体も着脱可能とし、トレー３７はプランター３６内に水が溜まり過ぎた場合等にメンテナンスを容易にするために使用してもよい。これにより、植栽設備３５の不使用時に、鉢等を別途用意する必要がないため、利便性をさらに高めることができる。
【００４４】
また、冬期等の太陽光の日射量が少ない時期には、図８に示すように、窓７から室内に入射する太陽光に対向するように窓際の床パネル３１を略直立した状態で固定すると、床パネル３１の裏面の金属薄板３４が窓７から室内に入射した太陽光を反射し、室内に侵入する熱を低減させることができると共に、反射した日射を植物２３の生長に有効利用することができる。
【００４５】
さらに、冬期等の太陽光の日射量が少ない時期には、図９に示すように、窓７から室内に入射する太陽光に対向するように窓際の床パネル３１を１８０度反転させた姿勢に保持すると、床パネル３１の裏面の金属薄板３４が窓７から室内に入射した太陽光を室内側へ反射させてインテリアゾーンに導き、照明を補完することにより、省エネルギー化を図ることができる。
【００４６】
さらにまた、冬期等の太陽光の日射量が少ない時期には、図１０に示すように、窓７から室内に入射する太陽光に対向するように窓際の床パネル３１を反転させ、トレー３７を人工軽量土壌１７と植物２３と共に一時的に鉢等に移動させた上で、床パネル３１の裏面にプランター３６装着し、プランター３６の底面３９の裏面で太陽光の日射を吸収し、日中にプランター３６の底面３９に蓄熱した熱を夕方から夜間に掛けて放熱させ、ペリメータゾーンのコールドドラフトを抑制することができる。
【００４７】
上記したように本発明の第１及び第２の実施の形態に係る窓際緑化システムによれば、太陽光の日射量の多少や室内の用途等に合わせて、多種多様な利用方法を選択することができるため、フレキシビリティを高めることができる。また、緑化システムが非常に簡単な構成を採用しているため、設置やメンテナンス作業の労力を軽減することができ、コストの低減化を図ることができる。
【００４８】
なお、上記した本発明の実施の形態の説明は、本発明に係る窓際緑化システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４９】
１          床スラブ
２          床パネル
３          フリーアクセスフロア
５          緑化スペース
７          窓
８          カバー部材
１０        植栽設備
１１        プランター
１２        トレー
１３        給水設備
１７        人工軽量土壌
１８        給水管
１９        給水部材
３１        床パネル
３５        植栽設備
３６        プランター
３７        トレー
３９        底面
【図１】
2013201921.tif 000003
【図２】
2013201921.tif 000004
【図３】
2013201921.tif 000005
【図４】
2013201921.tif 000006
【図５】
2013201921.tif 000007
【図６】
2013201921.tif 000008
【図７】
2013201921.tif 000009
【図８】
2013201921.tif 000010
【図９】
2013201921.tif 000011
【図１０】
2013201921.tif 000012